(57)【要約】【課題】  バッグ本体部の内部にＣＤ，ＤＶＤ等の記録媒体のディスクを他の収納物と分けて保管することができるとともに、そのディスクをバッグ本体部から取り出し易くすることができるバッグを提供すると。【解決手段】  バッグ本体部１と、該バッグ本体部１の幅方向端部箇所に形成された開閉自在とした側部出入口部２と、該側部出入口部２に連通するとともに前記バッグ本体部１内部に設けられたディスク収納袋部３とからなること。該ディスク収納袋部３にはディスクを出し入れ自在としてなること。【選択図】      図１
0003104945.tif 000002
【実用新案登録請求の範囲】
【請求項１】
バッグ本体部と、該バッグ本体部の幅方向端部箇所に形成された開閉自在とした側部出入口部と、該側部出入口部に連通するとともに前記バッグ本体部内部に設けられたディスク収納袋部とからなり、該ディスク収納袋部にはディスクを出し入れ自在としてなることを特徴とするバッグ。
【請求項２】
バッグ本体部と、該バッグ本体部の幅方向端部箇所に形成された開閉自在とした側部出入口部と、該側部出入口部に連通するとともに前記バッグ本体部内部に設けられたディスク収納袋部とからなり、該ディスク収納袋部にはディスクを出し入れ自在とし、前記ディスク収納袋部はポケット状に形成されてなることを特徴とするバッグ。
【請求項３】
バッグ本体部と、該バッグ本体部の幅方向端部箇所に形成された開閉自在とした側部出入口部と、該側部出入口部に連通するとともに前記バッグ本体部内部に設けられたディスク収納袋部とからなり、該ディスク収納袋部にはディスクを出し入れ自在とし、前記バッグ本体部内部には、前記ディスク収納袋部を収容するサイドポケット部が形成されてなることを特徴とするバッグ。
【請求項４】
バッグ本体部と、該バッグ本体部の幅方向端部箇所に形成された開閉自在とした側部出入口部と、該側部出入口部に連通するとともに前記バッグ本体部内部に設けられたディスク収納袋部とからなり、該ディスク収納袋部にはディスクを出し入れ自在とし、前記ディスク収納袋部は前記バッグ本体部の側部出入口部から引き出し自在としてなることを特徴とするバッグ。
【考案の詳細な説明】
【技術分野】
【０００１】
本考案は、バッグ本体部の内部にＣＤ，ＤＶＤ等の記録媒体のディスクを他の収納物と分けて保管することができるとともに、そのディスクをバッグ本体部から取り出し易くすることができるバッグに関する。
【背景技術】
【０００２】
従来より、種々のカジュアルなバッグが市販されており、その中でもトートバッグは多数の支持を得ている。これは、出入口が大きく開いた状態であり、収納物の出し入れを行ないやすいものである。通常は、この種のバッグでは、バッグ内部に複数のポケット等が装備されている。さらに、この種のバッグには、ポータブルタイプのＣＤプレイヤーを常に収納しておき、歩きながら音楽ＣＤ（コンパクトディスク）を聴くことが多い。なおＣＤが収納されたバッグに関して下記特許文献１に記載されている。
【特許文献１】実用新案登録第３０４１０３３号
【考案の開示】
【考案が解決しようとする課題】
【０００３】
ところで、上述した従来タイプの（トートバッグ等の）種々のバッグは、その出入れ口以外にも、バッグ本体部の内部及び外部にサイドポケットが収納されているものが多い。しかしながら、上記ＣＤ（コンパクトディスク）をＣＤケースに入れないで、そのまま他の収納物と一緒にサイドポケットに収納した場合に、ＣＤの盤面にキズが付くおそれがある。特に、ＣＤプレイヤーに予めＣＤを装着したものを行き先でＣＤプレイヤーから引き出したときには、ＣＤ保管用のプラスチックケースを携帯していない場合には、そのＣＤをそのままバッグの中に収納することになるので前述したようにＣＤにキズをつけるおそれがある。上記特許文献１に開示されているものは、ＣＤが直接バッグ本体部に収納されるものである。
【０００４】
また、ＣＤを保管するプラスチック製の保管ケースを所有していた場合においては、ＣＤプレイヤーからＣＤを取り出してこの保管ケースに収納したものを他の物品とともにバッグ内に収納すると、保管ケースの角等で他の収納物をキズ付けてしまうことも十分にあり得る。このようなことから、ＣＤ或いは保管ケースに収納されたＣＤは、バッグ内において他の物と分けて収納することが好ましい。本考案の目的は、ＣＤ等のディスクを他の物品と分けてバッグに収納するとともに、ＣＤを取り出したいときにはバッグから直ぐに取り出すことができ、さらにＣＤにキズが付くことを防止したり、或いはＣＤを格納した保管ケースがバッグ内で他の物品にキズを付けることを防止することにある。
【課題を解決するための手段】
【０００５】
そこで、考案者は、上記課題を解決すべく、鋭意, 研究を重ねた結果、本考案を、バッグ本体部と、該バッグ本体部の幅方向端部箇所に形成された開閉自在とした側部出入口部と、該側部出入口部に連通するとともに前記バッグ本体部内部に設けられたディスク収納袋部とからなり、該ディスク収納袋部にはディスクを出し入れ自在としてなるバッグとしたことにより、バッグに収納する物品の出し入れを極めて効率良く行うことができ、またバッグの製造において少ない部品数及び少ない工程でバッグに付属する副ポケット等を具備することができ、上記課題を解決したものである。また、上述の構成において、前記ディスク収納袋部はポケット状に形成されることにより上記課題を解決したものである。或いは、前記バッグ本体部内部には、前記ディスク収納袋部を収容するサイドポケット部が形成されたり、前記ポケット状部は前記バッグ本体部の側部出入口部から引き出し自在としたことにより、上記課題を解決したものである。
【考案の効果】
【０００６】
請求項１の考案によれば、バッグ本体部内部でディスクを他の収納された物品と分けて収納しておくことができる。また、側部出入口からディスクの出し入れを行なうことができ、ディスクの取り出しが極めて簡単且つ迅速にでき、また効率的にできるものである。次に、請求項２の考案によれば、前記ディスク収納袋部にディスクを収納しやすく、安定した状態で収納することができる。請求項３の考案によれば、ディスク収納袋部を他のバッグ本体部に収納された物品とを仕分けすることができ、プラスチック製の保管ケースに格納されたディスクの保管ケースがバッグ本体部内に収納された他の物品にキズつけるようなことを防止することができる。請求項４の考案によれば、ディスク収納袋部を側部出入口からバッグ本体部の外部に引き出すことで、ディスク収納袋部の汚れを容易に落とすことができる。
【考案を実施するための最良の形態】
【０００７】
以下、本考案の実施形態を図面に基づいて説明する。本考案は、通常、バッグ本体部１のディスク収納袋部３にＣＤ，ＤＶＤ等の記録媒体のディスク１０を保管するものであり、トートバッグ等のような肩掛けタイプのバッグである。図１，図２に示すように、バッグ本体部１の収納部の幅方向の一端側には、側部出入口部２が設けられており、そのバッグ本体部１に設けられたディスク収納袋部３に保管ケース１１を収納した状態のディスク１０のプラスチック製等の保管ケース１１が収納される。ディスク収納袋部３は、通常，バッグ本体部１内に収まった状態のままで行うが、ディスク収納袋部をバッグ本体部１の側部出入口部２から引き出した状態で前記保管ケース１１の収納を行うこともできる。
【０００８】
本考案は、図１，図２に示すように、バッグ本体部１と手提げ部６，６とからなる。そのバッグ本体部１を構成する生地の素材は、布地，革，化学（合成樹脂）繊維，紙等である。そのバッグ本体部１には、図１乃至図３等に示すように、上部側を開口とした主出入れ口１ａの他に、側部出入口部２が設けられている。その側部出入口部２は、前記バッグ本体部１の幅方向の１方側の端部箇所に形成され、ファスナーｆが装着されている。該ファスナーｆは、金属，合成樹脂からなるものや、ループ及びフック状の起毛状の布タイプのものが存在する。前記側部出入口部２には、それぞれファスナーカバー２ａが形成され、常時は、前記ファスナーｆが前記ファスナーカバー２ａにより隠されるようになっている。
【０００９】
そのバッグ本体部１の内部には、図１，図２に示すように、前記側部出入口部２に連通するディスク収納袋部３が設けられている。該ディスク収納袋部３は、収納口３ａと収納スペース３ｂとを有している。このディスク収納袋部３は、ポケット形状をなしており、前記収納口３ａから収納スペース３ｂに、前記ディスク１０をプラスチック製の保管ケース１１に格納したままの状態で収納することができる〔図１，図３乃至図６参照〕。そのディスク収納袋部３は、前記バッグ本体部１と同等の生地にて形成されたものであり、略長方形状の生地が適宜の位置にて折り返され、その周囲が縫製されてポケット形状として形成されたものである。このディスク収納袋部３の横方向の端部（図３においてディスク収納袋部３の左側端部）が前記側部出入口部２の上下方向に沿って縫い付けられており、前記ディスク収納袋部３が側部出入口部２を介して前記バッグ本体部１の内外に出し入れ自在な構造としている。
【００１０】
前記ディスク収納袋部３は、前記バッグ本体部１内部に位置させたときには、図３乃至図６（Ｂ）等に示すように、前記収納口３ａがバッグ本体部１の外方側寄りに向かって形成される。そして、そのディスク収納袋部３がバッグ本体部１内に位置した状態で側部出入口部２からディスク１０が格納された保管ケース１１を前記収納スペース３ｂに収納することができるようになっている〔図２，図５，図６（Ｂ）等参照〕。また、図６（Ａ）に示すように、前記ディスク収納袋部３は、その全体を側部出入口部２からバッグ本体部１の外部に引きずり出すことができる。したがって、前記側部出入口部２の大きさは、前記収納スペース３ｂ内に前記ディスク１０の保管ケース１１が収納されたままの状態でディスク収納袋部３が前記側部出入口部２を比較的余裕を有して容易に出入れすることができる程度の大きさに形成されることが好ましい。
【００１１】
また、前記バッグ本体部１内には、サイドポケット部４が設けられている。該サイドポケット部４は、図１乃至図４等に示すように、前記ディスク収納袋部３を収容して、該ディスク収納袋部３を前記バッグ本体部１の内部にて仕切るものである。前記サイドポケット部４は、その上下方向の寸法が側部出入口部２の上下方向の寸法に略等しく形成され、またサイドポケット部４の横方向の寸法は、前記ディスク収納袋部３の横方向の寸法よりも大きく形成されている。
【００１２】
そのサイドポケット部４の開口部４ａの周辺は、図４，図７（Ａ）等に示すように、前記側部出入口部２箇所付近におけるバッグ本体部１に縫い付けられており、前記側部出入口部２を開くと共に前記サイドポケット部４の開口部４ａも同時に開くようになっている。そのサイドポケット部４は、ディスク収納袋部３をバッグ本体部１の内部に収納した他の物品（収納物）とを仕切る役目をなすものであり、前記ディスク１０とバッグ本体部１に収納した他の物品とが干渉して、相互にキズを付け合わないようにする役目をなしている。このサイドポケット部４は、必ずしも必要なものではなく、前記バッグ本体部１内にそのサイドポケット部４が設けられないタイプも存在する。
【００１３】
前記ディスク収納袋部３には、通常は、保管ケース１１に格納した状態でディスク１０を収納することが多いが、そのディスク１０を保管ケース１１に保管しないで、ディスク１０のみを直接，ディスク収納袋部３に収納することもある。この場合には、図７（Ａ），（Ｂ）に示すように、前記ディスク収納袋部３の収納口３ａ内には、保護シート７が備えられることが好ましい。該保護シート７は、柔軟な繊維質の紙材等が使用される。そして、前記ディスク１０を収納口３ａに収納したときに、前記保護シート７がディスク１０の記録面に面接触するようにして、この記録面を保護するものである。
【００１４】
さらに、ディスク収納袋部３には、図７（Ｂ）に示すように、硬質の保護板材５が装着される。この保護板材５により、ディスク１０をプラスチック製の保管ケース１１に保管することなく、直接，ディスク収納袋部３に収納した場合に、ディスク１０を保護する役目をなす。具体的には、前記ディスク収納袋部３を構成する生地で前記保護板材５を装着するスペースが設けられるように、別の生地がディスク収納袋部３に当てられて、その保護板材５の外方周囲が縫製されるようにしたものである。
【００１５】
この保護板材５の大きさは、ディスク１０の直径を縦及び横の寸法とした正方形としたり、或いはこのディスク１０を収納する保管ケース１１と略同等の平面形状を有するものが使用される。保護板材５の材質としては、プラスチック等の合成樹脂，厚紙，金属板等が使用される。また、前記手提げ部６，６は、肩掛けが可能な程度の大きさに形成されることが好ましい。
【図面の簡単な説明】
【００１６】
【図１】本考案における一部切除した斜視図である。
【図２】図１とは異なる方向より見た一部切除した斜視図である。
【図３】本考案におけるサイドポケットを一部切除した縦断正面図である。
【図４】本考案における一部省略した横断平面図である。
【図５】本考案におけるサイドポケット部を一部切除した拡大断面図である。
【図６】（Ａ）はディスク収納袋部をバッグ本体部から引き出した状態の要部斜視図、（Ｂ）はディスク収納袋部をバッグ本体部内に収容した状態の要部斜視図である。
【図７】（Ａ）本考案においてディスクのみをディスク収納袋部に収納するタイプの要部斜視図、（Ｂ）は（Ａ）における要部の横断平面図である。
【符号の説明】
【００１７】
１…バッグ本体部，２…側部出入口部，３…ディスク収納袋部、４…サイドポケット部。
【図１】
0003104945.tif 000003
【図２】
0003104945.tif 000004
【図３】
0003104945.tif 000005
【図４】
0003104945.tif 000006
【図５】
0003104945.tif 000007
【図６】
0003104945.tif 000008
【図７】
0003104945.tif 000009